(57)【要約】【課題】  テープ状記録媒体のリニア記録におけるサーボ情報パターンの記録を正確に、かつ生産性良く形成することができるようにする。【解決手段】  テープ状記録媒体１の長手方向に沿ってデータ記録がなされるリニア記録トラックが複数形成されるデータバンド３と平行に配置されるサーボ情報記録専用のサーボバンド２に、サーボ情報を記録し、その後、サーボバンド２の延長方向に対して一定の角度をもって傾き、所定の間隔をもって間歇的にサーボ情報の記録部を消去して、サーボバンドを一定の角度をもって横切る所定の幅と間隔を有するサーボ情報が記録されたサーボ情報記録部の一部によりサーボ情報記録パターンを形成するものであり、このようにすることによって、上述したサーボ情報の記録及び消去を固定ヘッドによって行うことができ、テープ状記録媒体をリニア移行することによって、サーボ情報のパターン形成を行うことができ、このサーボ情報の記録を生産性行うことができるようにするものである。【選択図】        図１
2005085442.tif 000002
【特許請求の範囲】
【請求項１】
テープ状記録媒体の長手方向に沿ってデータ記録がなされるリニア記録トラックが複数形成されるデータバンドと平行に配置されるサーボ情報記録専用のサーボバンドに、
サーボ情報を記録し、その後、上記サーボバンドの延長方向に対して一定の角度をもって傾き、所定の間隔をもって間歇的に上記サーボ情報が記録されたサーボ情報記録部を消去して、上記サーボバンドを上記一定の角度をもって横切る所定の幅と間隔を有し、上記サーボ情報の記録部の一部によって構成されたサーボ情報記録パターンを形成することを特徴とするサーボ情報記録パターンの記録方法。
【請求項２】
上記サーボ情報が、少なくとも上記リニア記録トラックに対するデータ情報の記録もしくは再生の少なくとも一方におけるトラッキングサーボ情報を含むことを特徴とする請求項１に記載のサーボ情報記録パターンの記録方法。
【請求項３】
上記サーボ情報の記録の後、該サーボ情報を読み出し、該読み出し信号に基いて上記サーボ情報の消去のタイミング制御を行うことを特徴とする請求項１に記載のサーボ情報記録パターンの記録方法。
【請求項４】
サーボ情報記録固定ヘッドと、サーボ情報消去ヘッドとを有し、
テープ状記録媒体の長手方向に沿ってデータ記録がなされるリニア記録トラックが複数形成されるデータバンドと平行に配置されるサーボ情報記録専用のサーボバンドに、上記サーボ情報記録固定ヘッドによって、サーボ情報を記録し、
上記サーボ情報消去ヘッドによって、上記サーボバンドの延長方向に対して一定の角度をもって傾き、所定の間隔をもって間歇的に上記サーボ情報の記録がなされたサーボ情報記録部を消去して、上記サーボバンドを上記一定の角度をもって横切る所定の幅と間隔を有し、上記サーボ情報記録部の一部によって構成されたサーボ情報記録パターンを形成することを特徴とするサーボ情報記録パターンの記録装置。
【請求項５】
上記テープ状記録媒体の走行途上の、上記サーボ情報記録固定ヘッドと、上記サーボ情報消去ヘッドとの間に、上記サーボ情報記録固定ヘッドによって記録されたサーボ情報を再生する第１の補助再生ヘッドが設けられ、該補助再生ヘッドによる再生信号に基いて上記サーボ情報の消去のタイミング制御を行うことを特徴とする請求項４に記載のサーボ情報記録パターンの記録装置。
【請求項６】
上記テープ状記録媒体の走行途上の、上記サーボ情報消去ヘッドの後方に、上記サーボパターンを再生する第２の補助再生ヘッドが設けられ、該第２の補助再生ヘッドによる再生信号によって、所定の基準パターンとのずれを検出し、上記サーボ情報消去ヘッドによる消去のタイミング制御を行うことを特徴とする請求項４に記載のサーボ情報記録パターンの記録装置。
【発明の詳細な説明】
【技術分野】
【０００１】
本発明は、テープ状記録媒体にリニア記録トラッキング制御や、走行系制御等に用いる
サーボ信号を、記録媒体のサーボデータ記録専用のサーボバンドに記録するサーボ情報記録パターンの記録方法及び記録装置に関する。
【背景技術】
【０００２】
近年、コンピュータや、インターネットの益々の発達に伴い、取り扱うデータ量が爆発的に増大している。
これに伴い、バックアップに用いられる記録装置の大容量化が求められている。
このような、記録装置として、磁気テープの長手方向に沿って形成される記録トラックが、並置配列される多重トラックによるリニアテープシステムによるものが注目されている。
【０００３】
このリニアテープにおいて、より大容量化をはかるためには、記録トラックの、より多重化と、その面記録密度をより高めることが必要となり、これに伴い、記録トラックに対する記録、再生に際してのトラッキング制御、アドレス制御等のサーボにおいて、より高い精度が求められる。
このサーボ信号の記録態様としては、種々のものが提案されている。例えば図７に、テープ状記録媒体１００におけるサーボ情報の記録パターンを模式的に示すように、サーボ情報の記録を、テープ状記録媒体１００の全幅Ｗに渡って斜めに、いわゆるヘリカルパターンによるサーボ情報トラック、すなわちサーボ情報パターン１０３を形成することの提案がなされている。この場合、このヘリカルパターンのサーボ情報記録は、図示しないが、通常回転記録ヘッドに対し、テープ状記録媒体１００を、たすきがけに巻回させ、テープ状記録媒体の全幅に渡って回転記録ヘッドを走査することによってなされる。
【０００４】
しかしながら、このようなヘリカルパターンのサーボ情報の記録による場合、テープ状記録媒体の送り速度が、例えば２ｍ／ｍｉｎであることから、例えば６００ｍの長さのテープ状記録媒体にサーボ情報の記録を行うには、３００分を要することになり、著しく作業性に劣るという問題がある。
【０００５】
一方、リニアテープ記録において、図８に示すように、テープ状記録媒体１００の長手方向に、それぞれ複数のデータ記録トラック（図示せず）が、多数本平行配置されるデータバンド１０１と、これに隣接して配置されたサーボ情報記録がなされるサーボバンド１０２を配置した構成が提案されている。
【０００６】
そして、この記録態様において、そのサーボ情報記録パターンとして、図９（ａ）に示すように、いわゆるシェブロン（ｃｈｅｖｒｏｎ）構成、すなわち山形パターンとする記録態様によるサーボ方式の提案（ＬＴＯシステム）がなされている（例えば特許文献１参照）。
この場合、データトラックに対する記録、再生ヘッドと所定の位置関係に設定されたサーボ情報を読み出す再生ヘッドの走査位置が、例えば正常なトラッキングにおいて、図９Ａの破線ａで示す直線であるとするとき、図９（ｂ）で示すサーボ信号が得られる。そして、再生ヘッドの走査位置が、この直線ａから、図９（ａ）において、直線ａより上または下に変位するときは、図９（ｂ）の信号間隔が変化することから、例えばトラッキングエラーを検出することができる。
しかしながら、復号されたサーボ信号のパルス間隔が、トラキング位置情報となるため、時間基準となるクロック信号は、現状でも〜１００ＭＨｚ超とする必要がある。
このため、今後更に、データ転送レート向上に伴いテープ速度を上げていく上で、問題となってきた。
【０００７】
【特許文献１】特開２０００−４８４３１号
【発明の開示】
【発明が解決しようとする課題】
【０００８】
本発明は、上述したようにテープ状記録媒体の全幅に渡ってヘリカルパターンのサーボ情報におけるサーボ情報の記録に要する時間の問題、また、テープ状記録媒体のサーボバンドに限定的にシェブロン構成のサーボパターンによる場合における高記録密度化に伴うサーボの精度の問題の解決を図ることができるようにしたサーボ情報記録パターンの記録方法及び記録装置を提供する。
【課題を解決するための手段】
【０００９】
本発明によるサーボ情報記録パターンの記録方法は、テープ状記録媒体の長手方向に沿ってデータ記録がなされるリニア記録トラックが複数形成されるデータバンドと平行に配置されるサーボ情報記録専用のサーボバンドに、サーボ情報を記録し、その後、上記サーボバンドの延長方向に対して一定の角度をもって傾き、所定の間隔をもって間歇的に上記サーボ情報が記録されたサーボ情報記録部を消去して、上記サーボバンドを上記一定の角度をもって横切る所定の幅と間隔を有し、上記サーボ情報の一部によって構成されたサーボ情報記録パターンを形成することを特徴とする。
【００１０】
また、本発明によるサーボ情報記録パターンの記録方法においては、上記サーボ情報が、少なくとも上記リニア記録トラックに対するデータ情報の記録もしくは再生の少なくとも一方におけるトラッキングサーボ情報を含むことを特徴とする。
【００１１】
また、本発明によるサーボ情報記録方法は、上記サーボ情報の記録の後、該サーボ情報を読み出し、該読み出し信号に基いて上記サーボ情報の消去のタイミング制御を行うことを特徴とする。
【００１２】
そして、本発明によるサーボ情報記録装置は、サーボ情報記録固定ヘッドと、サーボ情報消去ヘッドとを有し、テープ状記録媒体の長手方向に沿ってデータ記録がなされるリニア記録トラックが複数形成されるデータバンドと平行に配置されるサーボ情報記録専用のサーボバンドに、上記サーボ情報記録固定ヘッドによって、サーボ情報を記録し、上記サーボ情報消去ヘッドによって、上記サーボバンドの延長方向に対して一定の角度をもって傾き、所定の間隔をもって間歇的に上記サーボ情報が記録されたサーボ情報記録部を消去して、上記サーボバンドを上記一定の角度をもって横切る所定の幅と間隔を有し、上記サーボ情報の記録部の一部によって構成されたサーボ情報記録パターンを形成することを特徴とする。
【００１３】
また、本発明によるサーボ情報記録装置は、上記テープ状記録媒体の走行途上の、上記サーボ情報記録固定ヘッドと、上記サーボ情報消去ヘッドとの間に、上記サーボ情報記録固定ヘッドによって記録されたサーボ情報を再生する第１の補助再生ヘッドが設けられ、該補助再生ヘッドによる再生信号に基いて上記サーボ情報の消去のタイミング制御を行うことを特徴とする。
【００１４】
また、本発明によるサーボ情報記録装置は、上記テープ状記録媒体の走行途上の、上記サーボ情報消去ヘッドの後方に、上記サーボパターンを再生する第２の補助再生ヘッドが設けられ、該第２の補助再生ヘッドによる再生信号によって、所定の基準パターンとのずれを検出し、上記サーボ情報消去ヘッドによる消去のタイミング制御を行うことを特徴とする。
【００１５】
なお、本発明で呼称する固定ヘッドとは、例えば回転ヘッドと対比した表現によるものであり、テープ状記録媒体に対する記録等の動作時において基本的には固定であることを指称するものである。
【発明の効果】
【００１６】
上述したように、本発明によるサーボ情報記録パターンの記録方法においては、テープ状記録媒体の長手方向に沿ってデータ記録がなされるデータバンドと平行に配置される、すなわちテープ状記録媒体に比し、格段に幅狭なバンドに、サーボ情記録パターンを形成するものであり、その情報パターンの形成を、サーボ情報の記録とその消去の組み合わせによって行う方法によることから、固定ヘッドによる記録を行うことができる。したがって、テープ状記録媒体の全幅に渡って回転ヘッドを用いてヘリカル記録を行う場合に比しテープ速度を数ｍ／ｓｅｃ程度にも高速化することができる。
したがって、サーボ情報の記録、すなわちサーボ情報パターンの形成の高速化、これによる生産性の向上を図ることができる。
【００１７】
また、本発明によるサーボ情報記録パターンの記録方法を実施する記録装置は、固定のサーボ情報記録ヘッドと、消去ヘッドとの組み合わせ構造を基本構造とするものであるので、きわめて簡潔な構造とすることができる。
そして、サーボ情報の記録ヘッドと消去ヘッドとの間に第１の補助再生ヘッドを設けるときは、この第１の補助再生ヘッドからの再生信号の検出タイミングに基いて消去ヘッドでの消去タイミングを制御することによって、正確に、所定位置にサーボ情報パターンを形成するように制御できるものである。
【００１８】
また、消去ヘッドの後方側に、第２の補助再生ヘッドを設けるときは、この第２の補助再生ヘッドによるサーボパターンの再生信号に基き、所定の基準パターンのずれを検出し、これによって更に消去ヘッドの消去タイミングを制御することによって、より適切に、サーボ情報のタイミング補正を行うことができるものである。
【発明を実施するための最良の形態】
【００１９】
本発明によるサーボ情報記録パターンの記録方法及び記録装置の実施の形態例を、図面を参照して説明するが、本発明は、この実施の形態例に限定されるものではない。
本発明においては、図１（ａ）で、サーボ情報記録パターンの記録方法の一実施形態例における模式的平面図を示すように、例えば幅Ｗが１／２インチ幅の磁気テープによるテープ状記録媒体１において、サーボ情報記録専用のサーボバンド２と、各種情報例えばデータ記録がなされるデータバンド３とが、それぞれ記録媒体１の長手方向に沿って延びるように、かつ幅Ｗ方向に関して交互に平行に配列された配置を採る。
データバンド３は、例えば図２（ａ）の記録もしくは再生状態の模式的平面図に示されるように、それぞれ所要本数の記録トラックすなわちチャンネルｃｈ１、ｃｈ２、・・・を組とする、サブデータバンド３Ｓの複数組によって構成される。
【００２０】
本発明によるサーボ情報記録パターンの記録方法は、サーボバンド２に、図１（ｂ）にサーボ情報パターンの形成過程の模式的平面図を示し、図１（ｃ）に、図１（ｂ）で鎖線ｂによって囲んで示した一部を、更に拡大して示したすように、まず、目的とするサーボ情報、例えばトラッキングサーボ情報、アドレス情報等の基本サーボ情報記録４の配列によるサーボ情報記録部１４を形成する。続いてサーボバンド２の長手方向、すなわち記録媒体１の長手方向、つまりリニア記録方向に対して、所定の角度θ、例えば６°の傾きをもって所定の幅及び間隔をもって間歇的にサーボ情報記録部１４を消去し、消去されずに残されたサーボ情報記録部１４、すなわち角度θをもって傾いた帯状の目的とするサーボ情報記録パターン５を形成する。
【００２１】
本発明による記録装置は、上述した本発明によるサーボ情報記録パターンの記録方法を実現する記録装置であり、その基本構成は、図３に示すように、矢印ｃで示す方向に走行するテープ状記録媒体１のサーボバンドに対して、サーボ情報固定記録ヘッド６と、サーボ情報消去ヘッド７とを有して成る。
サーボ情報記録ヘッド６は、サーボバンド２の幅方向に沿って横切るトラック幅を有し、サーボ情報記録ヘッド７は、上述した所定の角度θをもってサーボ情報記録ヘッド６側に傾き、サーボバンド２を斜めに横切るトラック幅を有する。
すなわち、サーボ情報記録ヘッド６は、サーボ情報記録専用のサーボバンド２を、その幅方向に沿って横切るトラック幅を有する作動磁気ギャップ６ｇを有する磁気ヘッドによって構成することができ、サーボ情報消去ヘッド７は、これらヘッド６及び７は、サーボバンド２を、その幅方向に斜めに横切るトラック幅を有する作動磁気ギャップ７ｇを有する磁気ヘッドによって構成することができる。
そして、これら記録ヘッド６及び消去ヘッド７は、それぞれ、隣接するデータバンド３の記録トラックに影響を生じることがない程度のトラック幅に選定する。例えばサーボバンド２とデータバンド３との間に設けたガードバンド８を越えることがないトラック幅に選定する。
【００２２】
また、記録ヘッド６及び消去ヘッド７は、図１（ａ）に示すように、各サーボバンド２に対して設けられるものであるが、これらは個別に設けるものではなく、例えば共通のヘッドベースに一体に配置形成したマルチヘッド装置９として構成することができる。
【００２３】
このマルチヘッド構成とするときは、各記録ヘッド６及び消去ヘッド７を、それぞれ周知の薄膜磁気ヘッドが積層された構造とすることによって各記録ヘッド６相互、消去ヘッド７相互の位置関係の設定、また、対応する各記録ヘッド６及び消去ヘッド７相互の位置関係を正確に設定でき、また小型軽量に構成することができる。
【００２４】
そして、本発明においては、図３に示すように、テープ状記録媒体１の走行途上の、サーボ情報記録固定ヘッド６と、サーボ情報消去ヘッド７との間に、サーボ情報記録固定ヘッド６によって記録されたサーボ情報を再生する第１の補助再生ヘッド１０を設け、記録媒体１の走行途上における消去ヘッド７の後方側、すなわち、消去ヘッド７の通過後の位置、言い換えれば、消去ヘッド７の記録ヘッド６とは反対側に位置して第２の補助再生ヘッド１１を設けることができる。
この場合、図４にブロック図を示すように、消去ヘッド７に対する消去信号を制御する
消去信号制御部１２に、第１の補助再生ヘッド１０の再生信号を導入し、サーボ情報記録ヘッド６に基くサーボ情報の記録位置の、例えば記録媒体１の伸縮等による変動を検出して、これによって、サーボ情報の消去のタイミング調整の制御を行う。
【００２５】
また、第２の補助再生ヘッド１１によって、消去ヘッド７によって所定間隔をもって間歇的パターンに形成されたサーボ情報パターンを再生して、この再生信号を消去信号制御部１２に導入することによって、サーボ情報パターンの所定の基準パターンとのずれを検出し、サーボ情報消去ヘッドによる消去のタイミング制御を行う。
なお、これら第１及び第２の補助再生ヘッド１０及び１１は、全サーボバンド２について、それぞれ設けることが望ましいが、全サーボバンド２の各ヘッド相互の位置関係が正確に規定されている場合には、一部のサーボバンドに関して設けることもできる。
なお、これら第１及び第２の補助再生ヘッド１０及び１１は、上述したマルチヘッド装置９内に組み込んで形成することができる。
【００２６】
上述したサーボ情報記録方法及び装置によって、図２（ａ）で示したように、テープ状記録媒体１のサーボバンド２に、その長手方向に対して所要の傾きθを有する帯状のサーボ情報記録パターン５が形成される。
【００２７】
次に、このサーボ情報記録パターン５におけるサーボ情報について詳細に説明する。
図５（ａ）は、上述したように、サーボバンド２に、記録されたサーボ情報記録パターン５を示すもので、このサーボ情報記録パターン５は、図１（ｃ）で示したように、基本サーボ情報記録４の配列による。例えばトラッキングサーボ信号として、記録ヘッド６によって基本情報記録４が交互にその磁化の向きを反転させた配列構成を有し、この配列において、一定間隔Ｔ毎に、タイミングスプリットＴＳＰが設けられる。
【００２８】
このサーボ情報記録パターン５が形成されたサーボバンド２に対して、サーボ情報の再生ヘッドが、サーボバンド２の長手方向に沿って走査すると、図５（ａ）で示すように、サーボ情報再生ヘッドのトラック１３は、斜めに形成されたサーボ情報記録パターン５を横切って走査される。
いま、このトラック１３が、所定のタイミングスプリットマークＴＳＰ位置で、サーボ情報記録パターン５上に、最も広い幅に渡って交叉した場合についてみると、このときの再生ヘッドの再生出力波形のエンベロープは、図５（ｂ）の（ｂ１）で示すにように、タイミングスプリットマークＴＳＰの位置で最大振幅を示し、その左右の領域Ａ及びＢで、同一面積を有する対称形状を示す。
これに対して、トラック１３が、例えば図５（ａ）における上方位置（＋ＯＦＦとする）あるいは下方位置（−ＯＦＦとする）に移動した場合は、再生出力波形のエンベロープは、図５（ｂ）及び（ｃ）に示すように、左右非対称となる。
【００２９】
したがって、これら領域Ａ及びＢの面積を積分演算によって求め、両面積の差を求めこれをトラッキングエラー検出信号とすることができる。
すなわち、図５（ａ）で示すトラック１３の位置が正規の位置であるとすると、このとき、図５（ｃ）で示すように、０レベルとなり、図５（ａ）で示すトラック１３の位置より上下に移動すれば、図５（ｃ）で示すように、プラスレベル、マイナスレベルとなる。
【００３０】
上述したタイミングスプリットマークＴＳＰは、例えば図６（ａ）に示すように、サーボ情報記録パターン５にサーボ情報信号として例えばテープ走行速度４ｍ／ｓｅｃで、周波数Ｆ＝７８２ｋＨｚの記録を行うとき、タイミングスプリットマークＴＳＰとして、例えば２Ｆの１．５６ＭＨｚの信号を記録する。
このタイミングスプリットマークは、他のサーボ信号に対して、ユニークな信号パターンあることで他の信号と区別される必要がある。
このようにすると、図６（ｂ）に模式的にサーボ情報再生ヘッドの再生出力を示すように、タイミングスプリットマークＴＳＰを横切る位置で、例えば周波数２Ｆによる波形のスプリット部ＳＰが生じることから、その前後を図５で説明した領域ＡとＢの境界を明確に判知することができることから、正確にＡ−Ｂによるトラッキングエラーの検出を行うことができる。
【００３１】
上述したように、本発明においては、テープ状記録媒体１に設けたサーボバンド２にサーボ情報記録パターン５を形成するものであり、これによってデータバンド３に、データ記録を行う場合、あるいはこのデータ記録の再生を行う場合の例えばトラッキング制御信号を得る。
このデータバンド３に対するデータ情報の記録及び再生について、図２を参照して説明する。
図２（ａ）は前述したようにテープ状記録媒体１の要部の平面図で、図２（ｂ）は、このテープ状記録媒体１に対する記録・再生ヘッド装置２０のヘッドの配列状態を示す図である。
この場合、例えば１つのサーボバンド２に対応して１つのサーボ情報再生ヘッド２０ＳＶが設けられ、このサーボバンドの例えば両側に隣り合う２つのデータバンド３の各サブバンド３Ｓの各チャンネルｃｈ１、ｃｈ２、ｃｈ３、・・・にそれぞれ対応して、各種情報の記録・再生ヘッド２０Ｄが、共通のヘッドベース２１上に配置されて記録・再生ヘッド装置２０が構成される。（なお、図２（ａ）においては、動作状態にあるヘッドのみを示している。）
【００３２】
そして、例えば１つのサーボバンドの再生ヘッドによって、トラッキングサーボ信号、すなわちトラッキングエラー信号を得て、これによって、各記録・再生ヘッド２０Ｄが所定の位置で記録・再生がなされるように磁気ヘッド装置２０の信号制御がなされる。
記録・再生ヘッド２０Ｄは、図２（ｂ）にそれぞれ模式的にその配置を示すように、
テープ走行において順方向用の磁気ヘッド２０ＤＦと、逆方向用の磁気ヘッド２０ＤＲとが並置して配置される。これら磁気ヘッド２０ＤＦ及び２０ＤＲは、それぞれ図示しないが記録ヘッドと再生ヘッドを有して成る。
そして、例えばテープ走行が順方向の記録時には２０ＤＦの記録ヘッドが動作してその記録がなされ、同時にこの記録信号を、本来は逆方向用の再生ヘッドである再生ヘッド２０ＤＲを動作させることによって、この順方向の記録信号を再生して記録信号の検証を行う。
同様に、テープ走行が逆方向の場合は、同様に２０ＤＲの記録で、２０ＤＦの再生ヘッドによって記録信号の検証を行う。
これら磁気ヘッド２０ＤＦ及び２０ＤＲの各記録ヘッドのトラック幅は、それぞれの２０ＤＦ及び２０ＤＲの各再生ヘッドのトラック幅より大とされて、記録がなされた領域で良好に再生がなされるようになし得る。
【００３３】
このようにして、所定のデータバンド３に対する記録もしくは再生を行って後、ヘッド装置をテープ状情報媒体１の幅方向に移動して、他のサーボバンド２にサーボ情報再生ヘッドを対向させ、このサーボバンド２の両脇に位置するデータバンド３に各記録・再生ヘッド２０Ｄを対向させる。このようにして、上述したと同様に、記録もしくは再生を行う。
【００３４】
サーボバンドとこれによって制御されるデータバンドとの関係は、例えば図２におけるように１本のサーボバンドによってその両側に配置されたデータバンドを制御することもできるし、データバンドをその両側もしくは片側にあるサーボバンドによって制御する態様をとる関係とすることもできることは言うまでもない。
【００３５】
そして、上述したヘッド装置２０は、テープ状記録媒体１の幅方向に移動させることからその移動が円滑に行われるように、ヘッドベース２１の長さは、テープ状記録媒体１の幅Ｗより少なくともその移動量以上の長さに選定される。
【００３６】
上述の本発明による記録方法によれば、固定ヘッドによるサーボ情報記録パターンの形成をリニア記録によって行うので、回転ヘッドを用いたヘリカル記録に比し、テープ走行速度を格段に速めることができる。
したがって、サーボ情報記録の作業時間の低減化が図られ、生産性の向上、コストの低減化をはかることができる。
【００３７】
また、そのサーボ情報は、テープ幅より格段に小さいサーボバンドに形成することから各サーボバンドに対して設けるサーボバンドの記録ヘッド、消去ヘッドは、それぞれそのトラック幅は極めて狭小であることから、全体を一体化したマルチヘッド構成とすることができ、製造の簡易化が図られる。
【００３８】
因みに、上述したサーボ情報の記録と消去による手法によって、図７で示すように、テープ状記録媒体の全幅に亘って形成することも考えられるが、この場合は、例えば角度θ＝６°の斜め消去ヘッドを用いる必要が生じ、トラック長は、例えば１／２インチ幅の記録媒体において、１２０．８ｍｍにも長くすることになり、このように長い連続した磁気ギャップの消去ヘッド装置を構成することは、装置の大型化を要するなどの問題を生じるが、本発明によれば、個々のサーボバンドに磁気ヘッドすなわち磁気ギャップを構成することから容易にマルチヘッド装置として構成することができる。
【図面の簡単な説明】
【００３９】
【図１】（ａ）は、本発明によるサーボ情報記録パターンの記録方法の一例の説明に供するサーボ情報記録ヘッドと、テープ状記録媒体との関係を示す模式的平面図である。  （ｂ）は、（ａ）図のサーボ情報記録がなされるサーボバンドにおけるサーボ情報パターンの形成過程を示す図である。  （ｃ）は、（ｂ）図における鎖線ｂで囲んだ領域のパターン図を示す図である。
【図２】（ａ）は、本発明によるサーボ情報記録パターンを用いたテープ状記録媒体に対する記録もしくは再生状態を示すテープ状記録媒体と、記録もしくは再生ヘッドの関係を示す模式的平面図である。  （ｂ）は、その記録、再生ヘッドの配置関係を示す図である。
【図３】本発明によるサーボ情報記録装置の一例の構成図である。
【図４】本発明によるサーボ情報記録装置の一例のブロック図である。
【図５】（ａ）は、本発明によって記録されたサーボ情報記録パターンを示す図である。  （ｂ）の（ｂ１），（ｂ２）及び（ｂ３）は、サーボ情報信号の再生信号のトラッキング状態に応じた信号波形を示す図である。  （ｃ）は、これによるトラッキングエラーの信号検出出力図である。
【図６】（ａ）は、サーボ情報記録パターンの平面図である。  （ｂ）は、サーボ情報の再生出力波形図である。
【図７】従来のテープ状記録媒体に対するサーボ情報パターンの模式的平面図である。
【図８】従来の他の例のテープ状記録媒体に対するサーボ情報パターンの模式的平面図である。
【図９】（ａ）は、従来のテープ状記録媒体におけるサーボバンドに形成されるサーボ情報パターンの一例のパターン図である。  （ｂ）は、このサーボパターンによって得られるサーボ信号の波形図である。
【符号の説明】
【００４０】
１・・・テープ状記録媒体、２・・・サーボバンド、３・・・データバンド、３Ｓ・・・サブデータバンド、４・・・基本サーボ情報記録、５・・・サーボ情報記録パターン、６・・・サーボ情報記録ヘッド、６ｇ，７ｇ・・・作動磁気ギャップ、７・・・サーボ情報消去ヘッド、８・・・ガードバンド、９・・・マルチヘッド装置、１０・・・第１の補助再生ヘッド、１１・・・第２の補助再生ヘッド、１２・・・消去信号制御部、１３・・・サーボ情報再生ヘッドのトラック、１４・・・サーボ情報記録部、２０・・・データ記録・再生ヘッド装置、２０Ｄ・・・データ情報記録・再生ヘッド、２０ＤＦ・・・順方向用の記録・再生ヘッド、２０ＤＲ・・・逆方向用の記録・再生ヘッド、２０ＳＶ・・・サーボ情報再生ヘッド、２１・・・ヘッドベース、１００・・・テープ状記録媒体、１０１・・・データ記録バンド、１０２・・・サーボ情報記録バンド
【図１】
2005085442.tif 000003
【図２】
2005085442.tif 000004
【図３】
2005085442.tif 000005
【図４】
2005085442.tif 000006
【図５】
2005085442.tif 000007
【図６】
2005085442.tif 000008
【図７】
2005085442.tif 000009
【図８】
2005085442.tif 000010
【図９】
2005085442.tif 000011